(57)【要約】【課題】  収納品である物品の出し入れを省スペースかつ作業性よく行うことを可能とする。【解決手段】  主収納庫２０と、複数の副収納庫１１〜１３を有し、複数の副収納庫１１〜１３が一体として主収納庫２０の開口２０ｘに正対して配置される収納庫群１０とを備え、収納庫群１０の複数の副収納庫１１〜１３の各々は主収納庫２０に対して位置及び姿勢の少なくともいずれか一方を変化することにより開放可能な状態におかれる、スーツケース１。【選択図】  図３
2020058690.tif 000002
【特許請求の範囲】
【請求項１】
主収納庫と、
複数の副収納庫を有し、前記複数の副収納庫が一体として前記主収納庫の開口に正対して配置される収納庫群とを備え、
前記収納庫群の複数の副収納庫の各々は前記主収納庫に対して位置及び姿勢の少なくともいずれか一方を変化することにより開放可能な状態におかれる、
鞄。
【請求項２】
前記収納庫群は、前記複数の副収納庫が、前記主収納庫の載置面に対して上下に整列することにより、一体として前記主収納庫の開口に正対して配置される、
請求項１に記載の鞄。
【請求項３】
前記複数の副収納庫の全部又は一部は、整列方向に直交する向きに並進するとともに前記整列方向に直交する軸周りに回動することにより、開放可能な状態におかれる、
請求項１又は２に記載の鞄。
【請求項４】
前記複数の副収納庫の全部又は一部は、整列方向に直交する軸周りに回動することにより開放可能な状態におかれる、
請求項１又は２に記載の鞄。
【請求項５】
前記複数の副収納庫の各々の全部又は一部は、整列方向に平行な軸周りに回動することにより開放可能な状態におかれる、
請求項１又は２に記載の鞄。
【請求項６】
前記複数の副収納庫の各々の全部又は一部は、整列方向に直交する向きに並進することにより開放可能な状態におかれる、
請求項１又は２に記載の鞄。
【請求項７】
前記複数の副収納庫の各々の全部又は一部は、整列方向に平行な向きに並進することにより開放可能な状態におかれる、
請求項１又は２に記載の鞄。
【請求項８】
前記複数の副収納庫の各々の全部又は一部は、前記主収納庫に対しする位置及び姿勢の少なくともいずれか一方の変化に連動して開放状態になる、
請求項１から７のいずれかに記載の鞄。
【発明の詳細な説明】
【技術分野】
【０００１】
本発明は、例えばスーツケースやトランクのような収容能力の大きな収納庫を有する鞄に関し、特に複数の収納庫を備えたものに関する。
【背景技術】
【０００２】
現在汎用されるスーツケースは、主に片開きに回動して開閉されるとともに、回動軸に対して対称形をなす収納部を有する。そのような収納部は大きな収容能力を有する反面、物品の出し入れ作業に際しては収納部を床に載置して開閉する場合が多く、広い作業スペースを必要とすることや小物の出し入れには煩わしさを伴うという不具合があった。
【０００３】
そのような不具合を解消する技術として、例えば特許文献１においては、収納部に出し入れ用の蓋を複数設けるとともに、各々の蓋に対応して収納部を仕切り、当該蓋の開閉により個別に物品を収納するようにした構成が開示されている。
【先行技術文献】
【特許文献】
【０００４】
【特許文献１】実開昭５２−１０１６０４号公報
【発明の概要】
【発明が解決しようとする課題】
【０００５】
しかしながら、上記従来のスーツケースには、以下の様な課題があった。すなわち、複数の蓋が設けられた各々の収納部は同一の収納庫としての収納箱の内部空間の区画であって、個々の収納部への物品の出し入れは、収納箱内における収納部の位置により制約されるため、使用者は収納部へアクセスし難く、作業性がよいものとは言えなかった。
【０００６】
本発明は、上記の課題に鑑みてなされたものであり、収納品である物品の出し入れを省スペースかつ作業性よく行うことが可能な鞄を提供することを目的とする。
【課題を解決するための手段】
【０００７】
上記の目的を達成するために、本発明の第１の側面は、主収納庫と、複数の副収納庫を有し、前記複数の副収納庫が一体として前記主収納庫の開口に正対して配置される収納庫群とを備え、前記収納庫群の複数の副収納庫の各々は前記主収納庫に対して位置及び姿勢の少なくともいずれか一方を変化することにより開放可能な状態におかれる、鞄である。
【０００８】
これにより、収納品である物品の出し入れを省スペースかつ作業性よく行うことが可能となる。
【０００９】
本発明の第２の側面は、前記収納庫群は、前記複数の副収納庫が、前記主収納庫の載置面に対して上下に整列することにより、一体として前記主収納庫の開口に正対して配置される、本発明の第１の側面の鞄である。
【００１０】
これにより、更に省スペースにて収納品である物品の出し入れを作業性よく行うことが可能となる。
【００１１】
本発明の第３の側面は、前記複数の副収納庫の全部又は一部は、整列方向に直交する向きに並進するとともに前記整列方向に直交する軸周りに回動することにより、開放可能な状態におかれる、本発明の第１又は第２の側面の鞄である。
【００１２】
これにより、更に省スペースにて収納品である物品の出し入れを作業性よく行うことが可能となる。
【００１３】
本発明の第４の側面は、前記複数の副収納庫の全部又は一部は、整列方向に直交する軸周りに回動することにより開放可能な状態におかれる、本発明の第１又は第２の側面の鞄である。
【００１４】
これにより、簡易な構成で副収納庫に対する物品の出し入れを作業性よく行うことが可能となる。
【００１５】
本発明の第５の側面は、前記複数の副収納庫の各々の全部又は一部は、整列方向に平行な軸周りに回動することにより開放可能な状態におかれる、本発明の第１又は第２の側面の鞄である。
【００１６】
これにより、簡易な構成で副収納庫及び主収納庫に対する物品の出し入れを作業性よく行うことが可能となる。
【００１７】
本発明の第６の側面は、前記複数の副収納庫の各々の全部又は一部は、整列方向に直交する向きに並進することにより開放可能な状態におかれる、本発明の第１又は第２の側面の鞄である。
【００１８】
本発明の第７の側面は、前記複数の副収納庫の各々の全部又は一部は、整列方向に並行な向きに並進することにより開放可能な状態におかれる、
【００１９】
これらにより、簡易な構成で副収納庫に対する物品の出し入れを作業性よく行うことが可能となる。
【００２０】
本発明の第８の側面は、前記複数の副収納庫の各々の全部又は一部は、前記主収納庫に対しする位置及び姿勢の少なくともいずれか一方の変化に連動して開放状態になる、本発明の第１から第７のいずれかの側面の鞄である。
【００２１】
これにより、副収納庫に対する物品の出し入れを更に作業性よく行うことが可能となる。
【発明の効果】
【００２２】
以上のような本発明は、物品の出し入れを省スペースかつ作業性よく行うことが可能になるという効果を奏する。
【図面の簡単な説明】
【００２３】
【図１】本発明の実施の形態１に係るスーツケースの構成を示す斜視図
【図２】本発明の実施の形態１に係るスーツケースの構成を示す斜視図
【図３】本発明の実施の形態１に係るスーツケースの使用状態を示す斜視図
【図４】本発明の実施の形態１に係るスーツケースの構成を示す側面図
【図５】本発明の実施の形態１に係るスーツケースの使用状態を説明するための側面図
【図６】本発明の実施の形態２に係るスーツケースの構成を示す斜視図
【図７】本発明の実施の形態２に係るスーツケースの構成を示す側面図
【図８】本発明の実施の形態２に係るスーツケースの使用状態を示す側面図
【図９】本発明の実施の形態３に係るスーツケースの構成を示す斜視図
【図１０】本発明の実施の形態３に係るスーツケースの使用状態を示す斜視図
【図１１】本発明の実施の形態３に係るスーツケースの他の構成例を示す斜視図
【図１２】本発明の実施の形態３に係るスーツケースの他の構成例の用状態を示す斜視図
【図１３】本発明の他の実施の形態に係るスーツケースの構成及び使用状態を示す斜視図
【図１４】本発明の他の実施の形態に係るスーツケースの構成及び使用状態を示す斜視図
【発明を実施するための形態】
【００２４】
以下、本発明の実施の形態について、図面を参照しながら説明する。
【００２５】
（実施の形態１）
図１は、本発明の実施の形態１に係るスーツケースの、手前側から見た前面の構成を示す斜視図、図２は奥行側から見た背面の構成を、通常使用時における載置状態として示す斜視図である。
【００２６】
図１及び２にそれぞれ示すように、スーツケース１は、手前側に位置する収納庫群１０、奥行側に位置する主収納庫２０、及び収納庫群１０と主収納庫２０との間に位置する枠体３０を主要な構成として備える。
【００２７】
収納庫群１０は、スーツケース１の前面側において物品を収納する部分である。収納庫群１０は各々が独立して物品を収納する副収納庫１１、１２及び１３の３つの副収納庫の集合体であって、副収納庫１１〜１３はスーツケース１の載置面に直交する方向である上下方向に沿った一体として整列される。
【００２８】
副収納庫１１はスーツケース１の正面と上面及び側面の前方部分との外装を形成する部材である外壁体１１ａ、外壁体１１ａの表面であってスーツケース１の上面相当部に凹みとして形成された、使用者による操作を受付けるための取っ手部１１ｂ、及び外壁体１１ａとともに開口箱状の収納室を形成する、図１、２には示されない後述する内壁体１１ｃを備える。
【００２９】
副収納庫１２はスーツケース１の正面と側面の前方部分との外装を形成する部材である外壁体１２ａ、外壁体１２ａの表面であってスーツケース１の正面相当部に凹みとして形成された、使用者による操作を受付けるための取っ手部１２ｂ、及び外壁体１２ａとともに開口箱状の収納室を形成する、図１、２には示されない後述する内壁体１２ｃを備える。
【００３０】
副収納庫１３はスーツケース１の正面と側面及び底面の前方部分との外装を形成する部材である外壁体１３ａ、外壁体１３ａの表面であってスーツケース１の正面相当部に凹みとして形成された、使用者による操作を受付けるための取っ手部１３ｂ、及び外壁体１３ａとともに開口箱状の収納室を形成する、図１、２には示されない後述する内壁体１３ｃを備える。
【００３１】
主収納庫２０は、スーツケース１の背面と上面、側面及び底面の後方部分との外装を形成するとともに、背面側において物品を収納する収納室を形成する開口箱状の部分である。
【００３２】
主収納庫２０の手前側は開口として収納庫群１０に正対し、背面には使用者がスーツケース１を運ぶためのキャリーハンドルＨ１が設けられる。
【００３３】
枠体３０は、図中上下方向及び左右方向を含む平面の投影において収納庫群１０及び主収納庫２０の輪郭に略一致する輪郭を有する枠状の部位であって、収納庫群１０の副収納庫１１〜１３及び主収納庫２０を開閉自在に固定している。また、枠体３０の右側の表面には、使用者がスーツケース１を運ぶためのキャリーハンドルＨ２が設けられるとともに、底面には、スーツケース１を載置状態にて使用者の操作に応じて搬送させるためのキャスターＣが設けられる。
【００３４】
主収納庫２０は枠体３０に対して図示しない蝶番等により回動自在に固定されることで開閉される。収納庫群１０の副収納庫１１〜１３と枠体３０との固定の態様は後述する。
【００３５】
なお、上記の説明において、手前及び奥行方向をなす軸、並びに上及び下方向をなす軸、左及び右方向をなす軸は図１及び２に示す直交座標により示すように互いに直交し、これら各軸は載置状態におけるスーツケース１の前後、上下及び左右の方向を定義する。以後の説明も適宜図中直交座標を参照して行う。
【００３６】
次に、図３及び図４を併せて参照して、スーツケース１の更なる構成を説明する。図３は、収納庫群１０の副収納庫１１〜１３が収納室を開放した状態を示す手前側からの斜視図であり、図４は、図１及び２に示すものと同様に、副収納庫１１〜１３が閉鎖された状態を示す、右側から見た側面図である。なお、図４はスーツケース１を、手前及び奥行き方向及び上下方向を含む平面による要部断面図として、内壁体１１ｃ〜１３ｃ及び空隙１１ｙ〜１３ｙが露出した状態を示した。
【００３７】
図３の開放状態に示すように、副収納庫１１の外壁体１１ａの内部には、外壁体１１ａの裏面から上方に延出して、上から見た形状が略コの字状をなす内壁体１１ｃが設けられる。同図において外壁体１１ａも内壁体１１ｃと同様、スーツケース１の正面部分を底面とするとともに、スーツケース１の上面及び側面部分が当該底面から上方に延出して、上から見た形状が略コの字状をなしており、外壁体１１ａと内壁体１１ｃとはコの字の開いた側同士を対向して配置されることで、内側の空間に開口１１ｘを介して物品を収納するための開口箱状の収納室を形成する。
【００３８】
更に、開口１１ｘを有する収納室と外壁体１１ａとの左右両端との間には、主収納庫２０の開口２０ｘと連通する一対の空隙１１ｙが形成される。一対の空隙１１ｙには、副収納庫１１を枠体３０に開閉自在に固定するための機構がそれぞれ配置される。副収納庫１２及び１３も同様に、外壁体１２ａ、１３ａとともに開口１２ｘ、１３ｘを有する収納室を形成するための内壁体１２ｃ、１３ｃがそれぞれ内部に設けられている。
【００３９】
次に、副収納庫１１〜１３を枠体３０に開閉自在に固定するための機構について説明を行う。副収納庫１１を例に取り、図４の側面図に示すように、枠体３０の内側には、左右方向に延出して枠体３０の左右両端に張り渡された回動軸３１ａが設けられ、回動軸３１ａにはレール３１ｂが、回動軸３１ａ周りを回動自在に支持されている。
【００４０】
更に、レール３１ｂ上にはアーム３１ｃがその延出方向に沿って摺動自在に固定されており、アーム３１ｃの先端は、副収納庫１１において一対の空隙１１ｙをなす内壁体１１ｃの表面であって、側面視における副収納庫１１の重心に対応する位置に設けられた回動端３１ｄに回動自在に支持されている。レール３１ｂ、アーム３１ｃ及び回動端３１ｄは一対の空隙１１ｙのそれぞれに設けられる。
【００４１】
これにより、副収納庫１１は、枠体３０及び主収納庫２０に対し、左右方向を軸として回動自在に支持されるとともに、手前及び奥行き方向に沿って並進自在に支持される。なお、副収納庫１１は、レール３１ｂ及びアーム３１ｃが前方下方に俯角をもって状態にて枠体３０越しに主収納庫２０の開口２０ｘを閉鎖している。
【００４２】
副収納庫１２及び１３も同様に、枠体３０の内側に設けられた回動軸３２ａ及び３３ａ、回動軸３２ａ及び３３ａにそれぞれ回動自在に支持されたレール３２ｂ及び３３ｂ、内壁体１２ｃ及び１３ｃそれぞれの表面であって側面視における副収納庫１２及び１３のそれぞれの重心に対応する位置に設けられた回動端３２ｄ及び３３ｄに回動自在に支持されるとともにレール３２ｂ及び３３ｂに摺動自在に固定されたアーム３２ｃ及び３３ｃによりそれぞれ構成される機構を有する。
【００４３】
これにより、副収納庫１２及び１３も、枠体３０及び主収納庫２０に対し、左右方向を軸として回動自在に支持されるとともに、手前及び奥行き方向に沿って並進自在に支持される。更に、副収納庫１２及び１３は、レール３２ｂ及びアーム３２ｃ並びにレール３３ｂ及びアーム３３ｃがそれぞれ前方下方に俯角をもって状態にて枠体３０越しに主収納庫２０の開口２０ｘを閉鎖している。なお、収納庫群１０及び主収納庫２０と枠体３０との開閉のロックは、ダイヤルロック、シリンダ錠、ファスナー、かんぬきその他の周知慣用の技術的手段によって行えばよく、詳細は省略する。
【００４４】
以上の構成において、スーツケース１は本発明の鞄に相当し、主収納庫２０は本発明の主収納庫に相当する。また、収納庫群１０は本発明の収納庫群に相当し、副収納庫１１〜１３は本発明の副収納庫に相当する。
【００４５】
本実施の形態１のスーツケース１は、以上の構成を備えたことにより、収納庫群１０を構成する副収納庫１１〜１３が回動及び並進して、それぞれ主収納庫２０から位置及び姿勢の双方が変化した位置にて収納室が開放されることにより、収納品である物品の出し入れを省スペースかつ作業性よく行うことを可能とする。
【００４６】
以下、図５を併せて参照して、更に説明を行う。図５は、図３の側面図に対応して、使用者による取っ手部１１ｂ〜１３ｂを介した操作に基づく収納庫群１０の副収納庫１１〜１３の使用状態を示す図である。
【００４７】
図５に示すように、副収納庫１１〜１３は、レール３１ｂ〜３３ｂが初期状態の俯角から手前及び奥行き方向と水平をなす角まで回動軸３１ａ〜３３ａ周りを下方向から手前方向へ回動することにより、手前側及び上方に移動する。更に、副収納庫１１〜１３は、回動端３１ｄ〜３３ｄ周りに上方向から手前方向へ９０度回動することにより、図中死角に位置する開口１１ｘ〜１３ｘを上方向に向けた状態に位置決めされる。更に、副収納庫１１〜１３は、アーム３１ｃ〜３３ｃがレール３１〜３１ｂ上を摺動して奥行側に移動することにより、枠体３０に接触して係止し、図３に示す、各々の収納室を上方へ向けて開放した開放状態を完成する。
【００４８】
なお、副収納庫１１〜１３を開閉する順序は、開閉操作により副収納庫１１〜１３のそれぞれが干渉しなければ任意とすることができ、例えば開放順を副収納庫１１、１２、１３の順で行うことは、スーツケース１の載置状態において目視しやすい最上段から物品の出し入れを行うことができる。
【００４９】
このように、本実施の形態１のスーツケース１は、収納庫群１０を構成する副収納庫１１〜１３を、それぞれ主収納庫２０からの位置及び姿勢の双方が変化した位置へ移動させ、使用者がよりアクセスしやすい状態で各々の収納室を開放して、物品の出し入れを行うことができる。これにより、物品の出し入れの作業性が向上している。
【００５０】
更に、本実施の形態１のスーツケース１は、副収納庫１１〜１３を枠体３０に支持させるための機構を備えたことにより、副収納庫１１〜１３を回動、並進により移動させることで、使用者がよりアクセスしやすい位置であって且つ主収納庫２０により近接した位置に移動させて開放状態とするようにしている。これにより、物品の出し入れの作業性を向上させつつ、省スペースで物品の出し入れを行うことを可能としている。
【００５１】
更に、本実施の形態１のスーツケース１は、副収納庫１１〜１３を回動及び並進の組み合わせにより移動させることで、姿勢の変化に連動して、収納室の開口１１ｘ〜１３ｘを上方向に向けた状態で開放状態とするようにしている。
【００５２】
これにより、副収納庫１１〜１３において開閉用の蓋及びその開閉作業を省略して、副収納庫に対する物品の出し入れを更に作業性よく行うことが可能となる。更に、蓋及びそれを開閉するための機構をスーツケース１の表面に露出させることがなく、スーツケースの美感を向上させることが可能となる。更に、蓋を備えることに基づく故障、破損の恐れがなく、スーツケースの信頼性を高めることが可能となる。
【００５３】
更に、本実施の形態１のスーツケース１は、副収納庫１１〜１３の外壁体１１ａ〜１３ａがそのままスーツケース１の外装の一部を形成するようにしている。これにより、主収納庫２０と外観上の意匠を統一して一体感を生じさせ、スーツケースの美感を向上させることが可能となる。
【００５４】
（実施の形態２）
図６は、本発明の実施の形態２に係るスーツケース２の構成を示す前方から見た斜視図、図７は右側から見た側面図である。ただし、本実施の形態１のスーツケース１と同一又は相当する構成については、同一符号を付し詳細な説明は省略する。また、図７において収納庫群の副収納庫１１〜１３は、左右方向に直交する平面による断面図として示した。
【００５５】
図６に示すように、本実施の形態２のスーツケース２は、その左右両端にて枠体３０に固定され、スーツケース２の側面の前方部分の外装を形成する一対の側壁１０ａを備えるとともに、収納庫群１０を一対の側壁１０ａの間に設けた構成を備える。
【００５６】
次に、図７に示すように、一対の側壁１０ａの内側には左右方向に延出して一対の側壁１０ａの対向面間に張り渡された回動軸３４、３５、３６が上から順に設けられる。副収納庫１１、１２及び１３は、外壁体１１ａの底面１１ａ１が回動軸３４に、外壁体１２ａの底面１２ａ１が回動軸３５に、外壁体１３ａの底面１３ａ１が回動軸３６に、それぞれ固定されることにより、一対の側壁１０ａに対して回動自在に固定される。
【００５７】
更に、副収納庫１１は、外壁体１１ａが単体で収納室を形成する構成を備え、収納室は、主収納庫２０の開口２０ｘを閉鎖した状態で、開口１１ｘが奥行き側に開口してなる開口箱状の外形を有する。副収納庫１２及び１３も同様に外壁体１１ａ及び１２ａがそれぞれ単体で収納室を形成する構成を備え、主収納庫２０の開口２０ｘを閉鎖した状態で、それぞれの収納室は、開口１２ｘ及び１３ｘがそれぞれ上向きに開口してなる開口箱状の外形を有する。
【００５８】
また、副収納庫１２及び１３の開口１２ｘ及び１３ｘを含む平面は、手前上方から奥行き下方に向かって傾斜しており、副収納庫１１及び１２の底面１１ａ１及び１２ａ１も、当該平面に対応して傾斜した態様を有する。
【００５９】
本実施の形態２のスーツケース２は、以上の構成を備えたことにより、収納庫群１０を構成する副収納庫１１〜１３がそれぞれ主収納庫２０の開閉とは独立して、左右方向を回動軸として回動して収納室を開放状態とする。すなわち、図８の、図７に対応した使用状態を示す側面図を参照して、副収納庫１１〜１３は、それぞれ上側から手前側へ回動することにより、開口１１ｘ〜１３ｘをそれぞれ手前側から上方の間で、使用者の所望の角度に位置決めした状態で開放状態を完成する。なお、副収納庫１１〜１３を回動させる順序は、副収納庫１１〜１３のそれぞれの干渉を避けるため、副収納庫１３、１２、１１の順で行う。
【００６０】
このように、本実施の形態２のスーツケース２は、収納庫群１０を構成する副収納庫１１〜１３の姿勢を変化させ、使用者がよりアクセスしやすい状態にてそれぞれの収納室を開放して、物品の出し入れを行うことができる。これにより、物品の出し入れの作業性が向上している。
【００６１】
更に、本実施の形態２のスーツケース２は、副収納庫１１〜１３を一対の側壁１０ａに回動軸３４〜３６に回動自在に固定された構成としたことにより、使用者がよりアクセスしやすい位置であって主収納庫２０に近接した位置に移動させて、各収納室を開放状態とするようにしている。これにより、物品の出し入れの作業性を向上させつつ、省スペースで物品の出し入れを行うことを可能としている。
【００６２】
更に、本実施の形態２のスーツケース２は、副収納庫１１〜１３を回動により移動させることで、姿勢を変化させ開口１１ｘ〜１３ｘを手前側から上方の間の所望の角に位置決めした状態に連動させて開放状態とするようにしている。
【００６３】
これにより、副収納庫１１〜１３において開閉用の蓋及びその開閉作業を省略して、副収納庫に対する物品の出し入れを更に作業性よく行うことが可能となる。更に、蓋及びそれを開閉するための機構をスーツケース２の表面に露出させることがなく、スーツケースの美感を向上させることが可能となる。更に、蓋を備えることに基づく故障、破損の恐れがなく、スーツケースの信頼性を高めることが可能となる。
【００６４】
更に、本実施の形態２のスーツケース２は、実施の形態１のスーツケース１と同様、副収納庫１１〜１３の外壁体１１ａ〜１３ａがそのままスーツケース２の外装の一部を形成するようにしている。これにより、主収納庫２０と外観上の意匠を統一して一体感を生じさせ、スーツケースの美感を向上させることが可能となる。
【００６５】
更に、本実施の形態２のスーツケース２は、副収納庫１１〜１３の回動を、一対の側壁１０ａに設けた回動軸３４〜３６により行う構成としたことで、簡易な構成かつ低コストで作成することができ、ひいてはスーツケースの耐久性や信頼性を高めることが可能となる。
【００６６】
（実施の形態３）  図９及び１０は、本発明の実施の形態３に係るスーツケース３の構成を示す前方から見た斜視図である。ただし、本実施の形態１のスーツケース２と同一又は相当する構成については、同一符号を付し詳細な説明は省略する。
【００６７】
なお、図９は収納庫群１０の副収納庫１１〜１３の収納室を閉鎖した状態を示し、図１０は副収納庫１１〜１３の収納室を開放した状態を示す。
【００６８】
各図に示すように、本実施の形態３のスーツケース３は、枠体３０の内側であって左右のいずれか両端に交互に設けられた、上下方向を回転軸とする蝶番３７、３８及び３９を備える。手前側から見て、副収納庫１１の左端は蝶番３７に、副収納庫１２の右端は蝶番３８に、副収納庫１３の左端は蝶番３９に、それぞれ回動自在に固定される。なお、図中において蝶番３７は死角となるため表示されない。
【００６９】
更に、副収納庫１１は、外壁体１１ａが単体で収納室を形成する構成を備え、主収納庫２０の開口２０ｘを閉鎖した状態で、開口１１ｘが奥行き側に開口してなる開口箱状の外形を有するとともに、開口１１ｘを開閉自在に閉鎖する蓋部１１ｄを備える。なお、蓋部１１ｄの態様は、図中には開口１１ｘの縁を回動軸とする扉として示したが、スライド式その他任意の周知慣用の構成により実施してもよい。
【００７０】
副収納庫１２及び１３も副収納庫１１と同様に、外壁体１２ａ及び１３ａがそれぞれ単体で収納室を形成する構成を備え、更に外壁体１２ａ及び１３ａは主収納庫２０の開口２０ｘを閉鎖した状態で開口１２ｘ及び１３ｘがそれぞれ上向きに開口してなる開口箱状の外形を有する。副収納庫１２及び１３の開口１２ｘ及び１３ｘを含む平面は、スーツケース３の左右方向に平行となっている。また、副収納庫１１〜１３の取っ手部１１ｂ〜１３ｂは、それぞれ蝶番３７〜３９の取付け位置に対して左右方向にて正対する位置に設けられる。
【００７１】
本実施の形態３のスーツケース３は、以上の構成を備えたことにより、収納庫群１０を構成する副収納庫１１〜１３がそれぞれ主収納庫２０の開閉とは独立に、上下方向に平行な軸をなす蝶番３７〜３９周りの所望の角にて回動して、収納室を開放状態とする。すなわち、図１０に示すように、副収納庫１１〜１３は、それぞれ右側又は左側から手前側へ回動することにより、開口１１ｘ〜１３ｘをそれぞれ手前側から左右方向の間の所定角に位置決めした状態で開放状態を完成する。
【００７２】
このように、本実施の形態３のスーツケース３は、収納庫群１０を構成する副収納庫１１〜１３の位置を変化させ、使用者がよりアクセスしやすい状態にてそれぞれの収納室を開放して、物品の出し入れを行うことができる。これにより、物品の出し入れの作業性が向上している。
【００７３】
更に、本実施の形態３のスーツケース３は、副収納庫１１〜１３を手前側から左右方向の間の所望の角にて回動自在に固定された構成としたことにより、副収納庫１１〜１３の位置を変化させ、使用者がよりアクセスしやすいように主収納庫２０からの距離の遠近を任意に調整しつつ開放状態とするようにしている。これにより、物品の出し入れの作業性を更に向上している。
【００７４】
更に、本実施の形態３のスーツケース３は、副収納庫１１〜１３により枠体３０を介して主収納庫２０の開口２０ｘを直接閉鎖する構成としている。これにより、副収納庫１１〜１３の収納室の開放に連動して主収納庫２０の収納室も同時に開放状態とすることができ、更に物品の出し入れの作業性を向上させることが可能となる。この場合、主収納庫２０と枠体３０とを一体化して、主収納庫２０が枠体３０に対して固定された態様として実施することができ、より好適である。
【００７５】
更に、更に、本実施の形態３のスーツケース３は、実施の形態１のスーツケースと同様、副収納庫１１〜１３において、収納室の蓋及びそれを開閉するための機構をスーツケース１の表面に露出させることがなく、スーツケースの美感を向上させることが可能となる。
【００７６】
更に、本実施の形態３のスーツケース３は、実施の形態１のスーツケース１と同様、副収納庫１１〜１３の外壁体１１ａ〜１３ａがそのままスーツケース３の外装の一部を形成するようにしている。これにより、主収納庫２０と外観上の意匠を統一して一体感を生じさせ、スーツケースの美感を向上させることが可能となる。
【００７７】
更に、本実施の形態３のスーツケース３は、副収納庫１１〜１３の移動を枠体３０の内側側面に設けた蝶番３７〜３９により行う構成としたことで、簡易な構成かつ低コストで作成することができ、ひいては耐久性や信頼性を高めることが可能となる。
【００７８】
なお、本実施の形態３は、図１１及び１２に示すスーツケース４のように、副収納庫１１が、主収納庫２０の開口２０ｘを閉鎖した状態で開口１１ｘが上向きに開口してなる開口箱状の外形を有するものとしてもよい。開口１１ｘは蝶番１１ｆにより回動自在に外壁体１１ａに固定された蓋部１１ｅにより開閉自在に閉鎖される。蓋部１１ｅは、外壁体１１ａとともにスーツケース５の上面の前側部の外装を構成する部材である。
【００７９】
これにより、副収納庫１１は枠体３０に固定したままで収納室を開閉することができ、更に物品の出し入れの作業性を向上させることが可能となる。
【００８０】
なお、上記の説明においては、副収納庫１１〜１３は枠体３０の内側側面の左右交互に設けられた蝶番３７〜３９により交互に逆向きに回動するものとしたが、副収納庫１１〜１３の回動方向は独立して左右任意に実施するものとしてもよい。
【００８１】
以上のように、本発明は、各実施の形態を参照して説明したように、収納品である物品の出し入れを省スペースかつ作業性よく行うことが可能になるという効果を奏する。
【００８２】
（その他の実施の形態）
しかしながら、本発明は上記の各実施の形態により限定されるものではない。
【００８３】
上記の説明においては、本発明の副収納庫に相当する、スーツケース１〜４の副収納庫１１〜１３は、いずれもスーツケースを載置した状態において上下方向又は左右方向を軸とする回動に基づき、収納室の開口１１ｘ〜１３ｘの向きの変化を伴って移動するものとしたが、本発明の副収納庫は、並進のみに基づき位置を変化するものとしてもよい。
【００８４】
構成例として、図１３に示すスーツケース５においては、副収納庫１１、１２及び１３は、枠体３０の内側には左右方向に延出して張り渡されたレール４１、４２及び４３にそれぞれ摺動可能に固定される。これにより、副収納庫１１〜１３はそれぞれの収納室の開口１１ｘ〜１３ｘを同一向きである上方に保ったまま、それぞれ主収納庫２０に対して左右方向に任意の距離で移動して、使用者がよりアクセスしやすい位置にて開放状態とすることができ、上記各実施の形態と同様、物品の出し入れを省スペースかつ作業性よく行うことが可能になる。
【００８５】
更なる構成例として、図１４に示すスーツケース６においては、副収納庫１１、１２及び１３は、枠体３０から手前側に伸縮自在に設けられたアーム４４、４５及び４６に固定される。これにより、副収納庫１１〜１３はそれぞれの収納室の開口１１ｘ〜１３ｘを同一向きである上方に保ったまま、それぞれ主収納庫２０に対して手前及び奥行き方向に任意の距離で移動して、使用者がよりアクセスしやすい位置にて開放状態とすることができ、上記各実施の形態と同様、物品の出し入れを省スペースかつ作業性よく行うことが可能になる。
【００８６】
更に、図１３及び図１４に示す構成例は、いずれも副収納庫１１〜１３はいずれも上下方向に直交する向きに並進するものとしたが、副収納庫１１〜１３は、上下へ方向に平行な向きに並進するものとしてもよい。この場合、物品の出し入れ作業をスーツケースの載置面の直上のみにて行わせて、更に省スペースかつ作業性よく行うことが可能になる。
【００８７】
更に、上記の説明においては、収納庫群を構成する副収納庫１１〜１３は、いずれも同一の移動の態様をとるものとしたが、本発明の副収納庫は、その全部又は一部が互いに異なる移動の態様により開放可能な状態におかれるものとしてもよい。例えば、副収納庫１１は実施の形態１の構成に従って位置及び姿勢を変化することにより開放する構成とする一方、副収納庫１２及び１３は実施の形態２の構成にしたがって右側又は左側から手前側へ回動することにより開放するものとしてもよい。
【００８８】
すなわち、本発明の副収納庫は、整列方向に直交する軸周りの回動、整列方向に平行な軸周りの回動、整列方向に直交する向きの並進、整列方向に並行な向きの並進、を任意に選択して、収納室を開放するものであってよく、その組合せの具体的な態様によって限定されるものではない。
【００８９】
更に、上記の説明においては、収納庫群を構成する副収納庫１１〜１３の回動又は並進は、枠体３０に設けたレールやレールとアームとの組み合わせ、回動軸によるものとしたが、任意の周知慣用の技術的手段によるものとしてもよい。要するに、本発明の副収納庫は、主収納庫に対して位置及び姿勢の少なくともいずれか一方を変化することにより開放可能な状態におかれるものであればよく、その変化を生じさせるための具体的な構成によって限定されるものではない。
【００９０】
更に、上記の説明においては、本発明の収納庫群を構成する副収納庫は副収納庫１１〜１３の３つからなるものとしたが、本発明の副収納庫の個数は任意であってもよい。更に、副収納庫は上下に整列されるものとしたが、左右に整列されるものであってもよいし、これらの整列を組み合わせたものであってもよい。
【００９１】
更に、上記の説明において、副収納庫１１〜１３の収納室は、蓋１１ｄ、１１ｅの他は開口１１ｘ〜１３ｘを閉鎖する蓋を有さないものとしたが、その効果が阻害されない限りにおいて、蓋を設ける構成としてもよい。
【００９２】
要するに、本発明の収納庫群は、複数の副収納庫が一体として主収納庫の開口に正対して配置されるものであればよく、その個数や配置の具体的な態様によって限定されるものではない。
【００９３】
更に、上記の説明においては、本発明の鞄はスーツケースにおいて実施されるものとしたが、本発明は、キャリーバッグ、トランク、通学鞄その他物品を収納可能な任意のかばん類において実施してもよい。
【００９４】
以上のように、本発明は、鞄であって、主収納庫と、複数の副収納庫を有し、前記複数の副収納庫が一体として前記主収納庫の開口に正対して配置される収納庫群とを備え、前記収納庫群の複数の副収納庫の各々は前記主収納庫に対して位置及び姿勢の少なくともいずれか一方を変化することにより開放可能な状態におかれるものであればよく、その他の具体的な目的、用途、構成によって限定されるものではない。
【００９５】
したがって、本発明は、その要旨を逸脱しない範囲内であれば、以上説明したもの及びその任意の組み合わせを含め、上記実施の形態に種々の変更を加えたものとして実施してもよい。
【産業上の利用可能性】
【００９６】
以上のような本発明は、収納品である物品の出し入れを省スペースかつ作業性よく行うことが可能になるという効果を奏し、例えばスーツケースのように収容能力の大きなかばん類において有用である。
【符号の説明】
【００９７】
１、２、３、４、５、６  スーツケース
１０  収納庫群
１０ａ  側壁
１１、１２、１３  副収納庫
１１ａ、１２ａ、１３ａ  外壁体
１１ｂ、１２ｂ、１３ｂ  取っ手部
１１ａ１、１２ａ１、１３ａ１  底面
１１ｃ、１２ｃ、１３ｃ  内壁体
１１ｄ、１１ｅ  蓋部
１１ｆ、３７、３８、３９  蝶番
１１ｘ、１２ｘ、１３ｘ、２０ｘ  開口
１１ｙ、１２ｙ、１３ｙ  空隙
２０  主収納庫
３０  枠体
３１ａ、３２ａ、３３ａ、３４、３５、３６  回動軸
３１ｂ、３２ｂ、３３ｂ、４１、４２、４３  レール
３１ｃ、３２ｃ、３３ｃ、４４、４５、４６  アーム
３１ｄ、３２ｄ、３３ｄ  回動端
Ｃ  キャスター
Ｈ１、Ｈ２  キャリーハンドル
【図１】
2020058690.tif 000003
【図２】
2020058690.tif 000004
【図３】
2020058690.tif 000005
【図４】
2020058690.tif 000006
【図５】
2020058690.tif 000007
【図６】
2020058690.tif 000008
【図７】
2020058690.tif 000009
【図８】
2020058690.tif 000010
【図９】
2020058690.tif 000011
【図１０】
2020058690.tif 000012
【図１１】
2020058690.tif 000013
【図１２】
2020058690.tif 000014
【図１３】
2020058690.tif 000015
【図１４】
2020058690.tif 000016